(57)【特許請求の範囲】
【請求項１】
ＯＬＴと、前記ＯＬＴに接続される複数のＯＮＵとを備えたＰＯＮシステムにおいて、
前記ＯＬＴは、
擬似ランダム信号を発生して前記ＯＮＵに送信するＰＲＢＳ送信部と、
前記ＯＮＵにより測定された伝送路損失に関するパラメータに基づいて、当該ＯＮＵに対してＡＰＤ印加電圧の調整を指示する指示作成部とを備え、
前記ＯＮＵは、
前記ＯＬＴとの間で光信号の送受信を行う光信号送受信部と、
前記光信号送受信部により受信された擬似ランダム信号を用いて前記伝送路損失に関するパラメータを測定するパラメータ測定部と、
前記パラメータ測定部により測定されたパラメータを前記ＯＬＴに送信するパラメータ送信部と、
前記指示作成部からの指示に応じて、前記光信号送受信部のＡＰＤ印加電圧を調整するバイアス調整部とを備えた
ことを特徴とするＰＯＮシステム。
【請求項２】
前記パラメータ測定部は、前記パラメータとして、前記擬似ランダム信号のビットエラーレートを測定し、
前記指示作成部は、前記パラメータ測定部により測定されたビットエラーレートに基づいて、前記ＯＮＵに対してＡＰＤ印加電圧の調整を指示する
ことを特徴とする請求項１記載のＰＯＮシステム。
【請求項３】
前記ＯＬＴは、前記擬似ランダム信号の送信光電力を測定する第２のパラメータ測定部を備え、
前記パラメータ測定部は、前記パラメータとして、前記擬似ランダム信号の受信光電力を測定し、
前記指示作成部は、前記パラメータ測定部により測定された受信光電力及び前記第２のパラメータ測定部により測定された送信光電力に基づいて、前記ＯＮＵに対してＡＰＤ印加電圧の調整を指示する
ことを特徴とする請求項１記載のＰＯＮシステム。
【請求項４】
前記光信号送受信部は、ＦＥＣ機能を有し、
前記指示作成部は、前記ＯＮＵにより測定された伝送路損失に関するパラメータに基づいて、当該ＯＮＵに対してＦＥＣ機能の有効設定を指示し、
前記ＯＮＵは、前記指示作成部からの指示に応じて、前記光信号送受信部のＦＥＣ機能を有効に設定するＦＥＣ機能設定部を備えた
ことを特徴とする請求項１から請求項３のうちのいずれか１記載のＰＯＮシステム。
【請求項５】
複数のＯＮＵが接続されるＯＬＴにおいて、
擬似ランダム信号を発生して前記ＯＮＵに送信するＰＲＢＳ送信部と、
前記ＯＮＵにより前記擬似ランダム信号を用いて測定された伝送路損失に関するパラメータに基づいて、当該ＯＮＵに対してＡＰＤ印加電圧の調整を指示する指示作成部とを備えた
ことを特徴とするＯＬＴ。
【請求項６】
ＯＬＴに接続されるＯＮＵにおいて、
前記ＯＬＴとの間で光信号の送受信を行う光信号送受信部と、
前記光信号送受信部により受信された擬似ランダム信号を用いて伝送路損失に関するパラメータを測定するパラメータ測定部と、
前記パラメータ測定部により測定されたパラメータを前記ＯＬＴに送信するパラメータ送信部と、
前記ＯＬＴからの前記パラメータに基づく指示に応じて、前記光信号送受信部のＡＰＤ印加電圧を調整するバイアス調整部とを備えた
ことを特徴とするＯＮＵ。
【請求項７】
ＯＬＴと、前記ＯＬＴと接続される複数のＯＮＵとを備えたＰＯＮシステムによる光信号送受信制御方法において、
前記ＯＬＴのＰＲＢＳ送信部が、擬似ランダム信号を発生して前記ＯＮＵに送信するＰＲＢＳ送信ステップと、
前記ＯＮＵのパラメータ測定部が、光信号送受信部により受信された擬似ランダム信号を用いて伝送路損失に関するパラメータを測定するパラメータ測定ステップと、
前記ＯＮＵのパラメータ送信部が、前記パラメータ測定部により測定されたパラメータを前記ＯＬＴに送信するパラメータ送信ステップと、
前記ＯＬＴの指示作成部が、前記ＯＮＵにより測定された伝送路損失に関するパラメータに基づいて、当該ＯＮＵに対してＡＰＤ印加電圧の調整を指示する指示作成ステップと、
前記ＯＮＵのバイアス調整部が、前記指示作成部からの指示に応じて、光信号送受信部のＡＰＤ印加電圧を調整するバイアス調整ステップとを有する
ことを特徴とする光信号送受信制御方法。
【発明の詳細な説明】
【技術分野】
【０００１】
この発明は、局側装置（ＯＬＴ：Ｏｐｔｉｃａｌ  Ｌｉｎｅ  Ｔｅｒｍｉｎａｌ）と、複数の加入者側装置（ＯＮＵ：Ｏｐｔｉｃａｌ  Ｎｅｔｗｏｒｋ  Ｕｎｉｔ）とを備えたＰＯＮ（Ｐａｓｓｉｖｅ  Ｏｐｔｉｃａｌ  Ｎｅｔｗｏｒｋ）システムにおいて、光信号送受信の制御を行うＰＯＮシステム、ＯＬＴ、ＯＮＵ及び光信号送受信制御方法に関するものである。
【背景技術】
【０００２】
インターネットの広い普及により、利用者は世界各地で運営されているサイトの様々な情報にアクセスし、その情報を入手することが可能となっている。それに伴って、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＰＯＮを含むＦＴＴＨ（Ｆｉｂｅｒ  Ｔｏ  Ｔｈｅ  Ｈｏｍｅ）などのブロードバンドアクセスも広く普及してきている。
【０００３】
ＰＯＮシステムは、一般家庭等の加入者宅を対象とした加入者系光ファイバネットワークとして知られる光伝送システムであり、ＯＬＴに接続された１本の光ファイバを光スプリッタで分岐して複数のＯＮＵと接続している。このように、複数のユーザで１本の光ファイバを共有することで、低いファイバ敷設コストでサービスを提供することが可能となる。
【０００４】
このＰＯＮシステムでは、ＯＬＴからＯＮＵへの下り方向通信の場合には、ブロードキャスト方式によって連続的な光信号が伝送される。このため、各ＯＮＵは、ＯＬＴから同じ下り方向の光信号を受信するようになっており、下り信号のフレームが自己宛であればこれを取り込み、そうでなければフレームを廃棄する。
【０００５】
一方、ＯＮＵからＯＬＴへの上り方向通信の場合には、光信号の衝突を避けるために、時分割方式によって間欠的な光信号（光バースト信号）が伝送される。すなわち、ＯＬＴは上り方向の送信時期及び送信データ量に関する許可（グラント）を予めＯＮＵごとに通知するようになっており、このグラントに従って各ＯＮＵが送信した上り方向の光信号を時分割で受信する。したがって、ＯＬＴには、各ＯＮＵ間との伝送路状態に従った種々の強度の光バースト信号が間欠的に届くことになる。
【０００６】
このように構成されたＰＯＮシステムにおいて、伝送効率の向上及び消費電力の低減を目的とした技術が知られている（例えば特許文献１参照）。この特許文献１に開示された技術では、ＯＮＵにてＯＬＴに擬似ランダム信号を送信し、ＯＬＴにて、当該擬似ランダム信号を受信してビットエラーレートを測定し、その測定結果に基づいてＯＮＵの送信光信号レベルの調整を指示する。これにより、伝送路損失が多い場合には送信光信号レベルを上げて伝送効率の向上を図り、伝送路損失が少ない場合には送信光信号レベルを下げてＯＮＵの消費電力の低減を図ることができる。
【先行技術文献】
【特許文献】
【０００７】
【特許文献１】特開２０１１−１６００２２号公報
【発明の概要】
【発明が解決しようとする課題】
【０００８】
特許文献１に開示された従来技術では、ＯＮＵの送信光信号レベルの調整のみを行っており、上り方向の回線劣化のみに対応する構成であった。一方、一般的に伝送路損失の増加等により回線劣化が生じた場合には、上り方向だけでなく、下り方向の信号にも影響が生じる。しかしながら、従来技術では上り方向の信号にしか対応できないという課題があった。すなわち、特許文献１に開示されている送信光信号レベルの調整指示を下り方向の信号に適用した場合、伝送路損失が少ないＯＮＵとの接続時に最大受光感度を超えてしまう可能性がある。よって、従来技術を下り方向の回線劣化に適用することができない。
【０００９】
この発明は、上記のような課題を解決するためになされたもので、下り方向に関しても通信品質を保つことが可能なＰＯＮシステム、ＯＬＴ、ＯＮＵ及び光信号送受信制御方法を提供することを目的としている。
【課題を解決するための手段】
【００１０】
この発明に係るＰＯＮシステムは、ＯＬＴと、ＯＬＴに接続される複数のＯＮＵとを備え、ＯＬＴは、擬似ランダム信号を発生してＯＮＵに送信するＰＲＢＳ送信部と、ＯＮＵにより測定された伝送路損失に関するパラメータに基づいて、当該ＯＮＵに対してＡＰＤ印加電圧の調整を指示する指示作成部とを備え、ＯＮＵは、ＯＬＴとの間で光信号の送受信を行う光信号送受信部と、光信号送受信部により受信された擬似ランダム信号を用いて伝送路損失に関するパラメータを測定するパラメータ測定部と、パラメータ測定部により測定されたパラメータをＯＬＴに送信するパラメータ送信部と、指示作成部からの指示に応じて、光信号送受信部のＡＰＤ印加電圧を調整するバイアス調整部とを備えたものである。
【００１１】
また、この発明に係る光信号送受信制御方法は、ＯＬＴのＰＲＢＳ送信部が、擬似ランダム信号を発生してＯＮＵに送信するＰＲＢＳ送信ステップと、ＯＮＵのパラメータ測定部が、光信号送受信部により受信された擬似ランダム信号を用いて伝送路損失に関するパラメータを測定するパラメータ測定ステップと、ＯＮＵのパラメータ送信部が、パラメータ測定部により測定されたパラメータをＯＬＴに送信するパラメータ送信ステップと、ＯＬＴの指示作成部が、ＯＮＵにより測定された伝送路損失に関するパラメータに基づいて、当該ＯＮＵに対してＡＰＤ印加電圧の調整を指示する指示作成ステップと、ＯＮＵのバイアス調整部が、指示作成部からの指示に応じて、光信号送受信部のＡＰＤ印加電圧を調整するバイアス調整ステップとを有するものである。
【発明の効果】
【００１２】
この発明によれば、上記のように構成したので、上り方向だけではなく下り方向に関しても所望の伝送条件（バジェット）を維持することが可能となる。また、ＯＬＴとＯＮＵとの間の伝送路損失が小さい場合は、ＡＰＤ印加電圧を所望の伝送条件を維持することが可能となり、ＯＮＵの消費電力を低減することができる。
【図面の簡単な説明】
【００１３】
【図１】この発明の実施の形態１に係るＰＯＮシステムの構成を示す図である。
【図２】この発明の実施の形態１に係るＰＯＮシステムによる上り方向通信品質改善動作を示すフローチャートである。
【図３】この発明の実施の形態１に係るＰＯＮシステムによる下り方向通信品質改善動作を示すフローチャートである。
【図４】この発明の実施の形態２に係るＰＯＮシステムの構成を示す図である。
【図５】この発明の実施の形態３に係るＰＯＮシステムの構成を示す図である。
【発明を実施するための形態】
【００１４】
以下、この発明の実施の形態について図面を参照しながら詳細に説明する。
実施の形態１．
図１はこの発明の実施の形態１に係るＰＯＮシステムの構成を示す図である。
ＰＯＮシステムは、図１に示すように、局側装置（ＯＬＴ）１と複数の加入者側装置（ＯＮＵ）２との間を、光カプラ３を介して光伝送路４により接続することで構成されている。
【００１５】
まず、ＯＬＴ１の構成について説明する。
ＯＬＴ１は、図１に示すように、光信号送受信部１１、アクセス制御部１２、指示作成部１３、ＰＲＢＳ（Ｐｓｅｕｄｏ  Ｒａｎｄｏｍ  Ｂｉｔ  Ｓｅｑｕｅｎｃｅ；擬似ランダム信号）受信部１４及びＰＲＢＳ送信部１５から構成されている。また、ＯＬＴ１は、図示を省略した上位ネットワークとも接続されている。
【００１６】
光信号送受信部１１は、光カプラ３及び光伝送路４を介して接続された各ＯＮＵ２との間で光信号の送受信を行うものである。
アクセス制御部１２は、光信号送受信部１１の制御を行うものである。なお、このアクセス制御部１２は、ＭＡＣ（Ｍｅｄｉａ  Ａｃｃｅｓｓ  Ｃｏｎｔｒｏｌ）として知られている送受信制御機能を有するものである。
【００１７】
指示作成部１３は、所定のＯＮＵ２に対して、各種指示を示す信号を作成し、アクセス制御部１２及び光信号送受信部１１を介して送信するものである。ここで、指示作成部１３では、擬似ランダム信号のＯＬＴ１への送信を指示する擬似ランダム信号送信指示、ＰＲＢＳ受信部１４により測定されたビットエラーレートに基づいて、光信号出力レベルの調整を指示する送信光信号レベル調整指示を行う。また、ＯＮＵ２により測定されたビットエラーレートのＯＬＴ１への送信を指示するビットエラーレート測定結果送信指示、当該ビットエラーレートに基づいて、ＡＰＤ印加電圧の調整を指示するＡＰＤ印加電圧調整指示も行う。
さらに、指示作成部１３は、ＰＲＢＳ送信部１５に対して、指示（擬似ランダム信号の所定のＯＮＵ２への送信を指示する擬似ランダム信号送信指示）を示す信号を作成し、出力する機能も有している。
【００１８】
ＰＲＢＳ受信部１４は、光信号送受信部１１及びアクセス制御部１２を介してＯＮＵ２からの擬似ランダム信号を受信してビットエラーレートを測定するものである。
ＰＲＢＳ送信部１５は、指示作成部１３からの擬似ランダム信号送信指示に応じて、ビットエラーレート測定用の擬似ランダム信号を発生し、アクセス制御部１２及び光信号送受信部１１を介して指定されたＯＮＵ２に送信するものである。
【００１９】
次に、ＯＮＵ２の構成について説明する。
ＯＮＵ２は、図１に示すように、光信号送受信部２１、アクセス制御部２２、指示受信部２３、ＰＲＢＳ送信部２４、ＰＲＢＳ受信部（パラメータ測定部）２５、指示送信部（パラメータ送信部）２６、出力レベル調整部２７及びバイアス調整部２８から構成されている。また、ＯＮＵ２は、図示を省略したユーザ端末装置等とも接続されている。
【００２０】
光信号送受信部２１は、光カプラ３及び光伝送路４を介して接続されたＯＬＴ１との間で光信号の送受信を行うものである。ここで、光信号送受信部２１の光受信回路は、光信号を光電変換するアバランシェフォトダイオード（ＡＰＤ：Ａｖａｌａｎｃｈｅ  Ｐｈｏｔｏ−Ｄｉｏｄｅ）と、この素子が出力する電気信号を増幅する増幅器と、増幅された電気信号を閾値と比較して二値信号（デジタル信号）を出力する比較器とから構成される。特にＡＰＤは、高い逆方向のバイアス電圧（以下、単にバイアス電圧と称す）を印加することで光電流が増倍される高感度のフォトダイオードである。このため、光受信回路には、ＡＰＤが最適な増倍率になるようにバイアス電圧を制御するためのバイアス回路（バイアス調整部２８）が設けられている。
【００２１】
アクセス制御部２２は、光信号送受信部１１の制御を行うものである。なお、このアクセス制御部２２は、ＭＡＣとして知られている送受信制御機能を有するものである。
【００２２】
指示受信部２３は、光信号送受信部２１及びアクセス制御部２２を介してＯＬＴ１からの各種指示を示す信号を受信するものである。ここで、指示受信部２３は、ＯＬＴ１から擬似ランダム信号送信指示信号を受信した場合には、当該指示信号をＰＲＢＳ送信部２４に通知する。また、送信光信号レベル調整指示信号を受信した場合には、当該指示信号を出力レベル調整部２７に通知する。また、ビットエラーレート測定結果送信指示信号を受信した場合には、当該指示信号を指示送信部２６に通知する。また、ＡＰＤ印加電圧調整指示信号を受信した場合には、当該指示信号をバイアス調整部２８に通知する。
【００２３】
ＰＲＢＳ送信部２４は、指示受信部２３から擬似ランダム信号送信指示信号を受け取った場合に、ビットエラーレート測定用の擬似ランダム信号を発生し、アクセス制御部２２及び光信号送受信部２１を介してＯＬＴ１に送信するものである。
ＰＲＢＳ受信部２５は、光信号送受信部２１及びアクセス制御部２２を介してＯＬＴ１からの擬似ランダム信号を受信してビットエラーレートを測定するものである。
【００２４】
指示送信部２６は、指示受信部２３からビットエラーレート測定結果送信指示信号を受け取った場合に、ＰＲＢＳ受信部２５により測定されたビットエラーレートを、アクセス制御部２２及び光信号送受信部２１を介してＯＬＴ１に送信するものである。
【００２５】
出力レベル調整部２７は、指示受信部２３から送信光信号レベル調整指示信号を受け取った場合に、光信号送受信部２１の送信出力レベルを当該指示に応じたレベルに調整するものである。
【００２６】
バイアス調整部２８は、指示受信部２３からＡＰＤ印加電圧調整指示信号を受け取った場合に、光信号送受信部２１のＡＰＤに対する印加電圧を当該指示に応じた電圧に調整するものである。
【００２７】
次に、上記のように構成されたＰＯＮシステムの動作について、図２，３を参照しながら説明する。
まず、ＰＯＮシステムによる上り方向通信品質改善動作について説明する。
ＰＯＮシステムによる上り方向通信品質改善動作では、図２に示すように、まず、ＯＬＴ１の指示作成部１３は、ＯＮＵ２に対して、擬似ランダム信号のＯＬＴ１への送信を指示する擬似ランダム信号送信指示信号を作成し、アクセス制御部１２及び光信号送受信部１１を介して送信する（ステップＳＴ２１）。
【００２８】
次いで、ＯＮＵ２のＰＲＢＳ送信部２４は、指示受信部２３を介して受け取った擬似ランダム信号送信指示信号に応じて、ビットエラーレート測定用の擬似ランダム信号を発生し、アクセス制御部２２及び光信号送受信部２１を介してＯＬＴ１に送信する（ステップＳＴ２２）。
【００２９】
次いで、ＯＬＴ１のＰＲＢＳ受信部１４は、光信号送受信部１１及びアクセス制御部１２を介してＯＮＵ２からの擬似ランダム信号を受信してビットエラーレートを測定する（ステップＳＴ２３）。
【００３０】
次いで、ＯＬＴ１の指示作成部１３は、ＰＲＢＳ受信部１４により測定されたビットエラーレートに基づいて、ＯＮＵ２に対して、光信号出力レベルの調整を指示する送信光信号レベル調整指示信号を作成し、アクセス制御部１２及び光信号送受信部１１を介して送信する（ステップＳＴ２４）。この際、指示作成部１３は、ＰＲＢＳ受信部１４により測定されたビットエラーレートが所定範囲内となるように、ＯＮＵ２の光信号送受信部２１からの送信光レベルを調整させる。すなわち、ビットエラーレートが所定範囲より大きい場合には、伝送路損失が多いと判断して送信光信号レベルを上げるように指示し、伝送効率の向上を図る。一方、ビットエラーレートが小さい場合には、伝送路損失が少ないと判断して送信光信号レベルを下げるように指示し、ＯＮＵ２の消費電力の低減を図る。
【００３１】
次いで、ＯＮＵ２の出力レベル調整部２７は、指示受信部２３を介して受け取った送信光信号レベル調整指示信号に応じ、光信号送受信部２１の送信出力レベルを当該指示に応じたレベルに調整する（ステップＳＴ２５）。
以上の動作により、上り方向の回線劣化を回避することができ、ＯＮＵ２の消費電力の低減を図ることができる。
【００３２】
次に、ＰＯＮシステムによる下り方向通信品質改善動作について説明する。
ＰＯＮシステムによる下り方向通信品質改善動作では、図３に示すように、まず、ＯＬＴ１の指示作成部１３は、ＰＲＢＳ送信部１５に対して、擬似ランダム信号のＯＮＵ２への送信を指示する擬似ランダム信号送信指示信号を作成し、出力する（ステップＳＴ３１）。
また、指示作成部１３は、ＯＮＵ２に対して、ビットエラーレート測定結果のＯＬＴ１への送信を指示するビットエラーレート測定結果送信指示信号を作成し、アクセス制御部１２及び光信号送受信部１１を介して送信する（ステップＳＴ３２）。
【００３３】
次いで、ＯＬＴ１のＰＲＢＳ送信部１５は、指示作成部１３からの擬似ランダム信号送信指示信号に応じて、ビットエラーレート測定用の擬似ランダム信号を発生し、アクセス制御部１２及び光信号送受信部１１を介して指定ＯＮＵ２に送信する（ステップＳＴ３３、ＰＲＢＳ送信ステップ）。
【００３４】
次いで、ＯＮＵ２のＰＲＢＳ受信部２５は、光信号送受信部２１及びアクセス制御部２２を介してＯＬＴ１からの擬似ランダム信号を受信してビットエラーレートを測定する（ステップＳＴ３４、パラメータ測定ステップ）。
【００３５】
次いで、ＯＮＵ２の指示送信部２６は、指示受信部２３を介して受け取ったビットエラーレート測定結果送信指示信号に応じて、ＰＲＢＳ受信部２５により測定されたビットエラーレートを、アクセス制御部２２及び光信号送受信部２１を介してＯＬＴ１に送信する（ステップＳＴ３５、パラメータ送信ステップ）。
【００３６】
次いで、ＯＬＴ１の指示作成部１３は、ＯＮＵ２により測定されたビットエラーレートに基づいて、当該ＯＮＵ２に対して、ＡＰＤ印加電圧の調整を指示するＡＰＤ印加電圧調整指示信号を作成し、アクセス制御部１２及び光信号送受信部１１を介して送信する（ステップＳＴ３６、指示作成ステップ）。この際、指示作成部１３は、ＯＮＵ２のＰＲＢＳ受信部２５により測定されたビットエラーレートが所定範囲内となるように、ＯＮＵ２のＡＰＤに対する印加電圧を調整させる。すなわち、ビットエラーレートが所定範囲より大きい場合には、伝送路損失が多いと判断してＡＰＤへの印加電圧を上げるように指示し、伝送効率の向上を図る。一方、ビットエラーレートが小さい場合には、伝送路損失が少ないと判断してＡＰＤの印加電圧を下げるように指示し、ＯＮＵ２の消費電力の低減を図る。
【００３７】
次いで、ＯＮＵ２のバイアス調整部２８は、指示受信部２３を介して受け取ったＡＰＤ印加電圧調整指示信号に応じ、光信号送受信部２１のＡＰＤに対する印加電圧を当該指示に応じた電圧に調整する（ステップＳＴ３７、バイアス調整ステップ）。
以上の動作により、下り方向の回線劣化を回避することができ、ＯＮＵ２の消費電力の低減を図ることができる。
【００３８】
以上のように、この実施の形態１によれば、ＯＬＴ１に、擬似ランダム信号を発生してＯＮＵ２に送信するＰＲＢＳ送信部１５と、ＯＮＵ２により測定されたビットエラーレートに基づいて、当該ＯＮＵ２に対するＡＰＤ印加電圧の調整を指示する指示作成部１３とを設け、ＯＮＵ２に、ＯＬＴ１との間で光信号の送受信を行う光信号送受信部１１と、光信号送受信部１１を介して擬似ランダム信号を受信し、ビットエラーレートを測定するＰＲＢＳ受信部２５と、ＰＲＢＳ受信部２５により測定されたビットエラーレートをＯＬＴ１に送信する指示送信部２６と、指示作成部１３からの指示に応じてＡＰＤ印加電圧を調整するバイアス調整部２８とを設けるように構成したので、上り方向だけではなく下り方向に関しても所望の伝送条件（バジェット）を維持することが可能となる。また、ＯＬＴ１とＯＮＵ２との間の伝送路損失が小さい場合は、ビットエラーレートは低いため、ＡＰＤ印加電圧を所望の伝送条件を維持することが可能となり、ＯＮＵ２の消費電力を低減することができる。
【００３９】
実施の形態２．
実施の形態１では、下り方向の通信品質改善を行うため、バイアス調整部２８にてＡＰＤ印加電圧を調整するものについて示した。それに対して、光信号送受信部２１の前方誤り訂正（ＦＥＣ）機能を有効にすることでも通信品質を改善できる。
図４はこの発明の実施の形態２に係るＰＯＮシステムの構成を示す図である。図４に示す実施の形態２に係るＰＯＮシステムは、図１に示す実施の形態１に係るＰＯＮシステムの指示作成部１３、光信号送受信部２１及び指示受信部２３を指示作成部１３ｂ、光信号送受信部２１ｂ及び指示受信部２３ｂに変更し、ＦＥＣ機能設定部２９を追加したものである。その他の構成は同様であり、同一の符号を付してその説明を省略する。
【００４０】
光信号送受信部２１ｂは、図１に示す実施の形態１における光信号送受信部２１の機能に加えて、ＦＥＣ機能を有している。なお、このＦＥＣ機能は、ＦＥＣ機能設定部２９により有効／無効が設定可能に構成されている。
【００４１】
指示作成部１３ｂは、図１に示す実施の形態１における指示作成部１３の機能に加えて、ＯＮＵ２に対して、ＯＮＵ２により測定されたビットエラーレートに基づいて、光信号送受信部２１ｂのＦＥＣ機能の有効設定を指示するＦＥＣ機能有効設定指示を示す信号を作成し、アクセス制御部１２及び光信号送受信部１１を介して送信する機能を有している。そして、指示作成部１３ｂは、例えば、ビットエラーレートにより伝送路損失が多いと判断した場合に、まず、ＡＰＤ印加電圧を上げて受信感度を上げさせ、それでも不足する場合にＦＥＣ機能を有効にさせる。
【００４２】
指示受信部２３ｂは、図１に示す実施の形態１における指示受信部２３の機能に加えて、ＯＬＴ１からＦＥＣ機能有効設定指示信号を受信した場合に、当該指示信号をＦＥＣ機能設定部２９に通知する機能を有している。
ＦＥＣ機能設定部２９は、指示受信部２３ｂからＦＥＣ機能有効設定指示信号を受け取った場合に、光信号送受信部２１ｂのＦＥＣ機能を有効に設定するものである。
【００４３】
以上のように、この実施の形態２によれば、ＡＰＤ印加電圧の調整に加えて、ＦＥＣ機能の有効設定を行うように構成したので、実施の形態１と比較して、伝送効率のさらなる向上が期待できる。
【００４４】
実施の形態３．
実施の形態１，２では、伝送路損失の確認を擬似ランダム信号送信によるビットエラーレート測定により行う場合について示した。それに対して、光信号送受信部１１，２１に実装されるＤＤＭ（Ｄｉｇｉｔａｌ  Ｄｉａｇｎｏｓｔｉｃｓ  Ｍｏｎｉｔｏｒｉｎｇ）機能を用いても確認することができる。
図５はこの発明の実施の形態３に係るＰＯＮシステムの構成を示す図である。図５に示す実施の形態３に係るＰＯＮシステムは、図１に示す実施の形態１に係るＰＯＮシステムの指示作成部１３を指示作成部１３ｃに変更したものである。その他の構成は同様であり、同一の符号を付してその説明を省略する。
【００４５】
なお、光信号送受信部１１は、ＤＤＭ機能（第２のパラメータ測定部）を有し、送信光電力を測定する。また、光信号送受信部２１は、ＤＤＭ機能（パラメータ測定部）を有し、受信光電力を測定する。
【００４６】
指示作成部１３ｃは、図１に示す実施の形態１における指示作成部１３のＡＰＤ印加電圧調整指示信号の作成において、ＯＮＵ２により測定されたビットエラーレートに代えて、光信号送受信部１１により測定された擬似ランダム信号の送信光電力及び光信号送受信部２１により測定された擬似ランダム信号の受信光電力を用いるものである。この際、送信光電力及び受信光電力のモニタ値を比較することで伝送路損失を算出する。
【００４７】
以上のように、この実施の形態３によれば、ビットエラーレートの測定に代えて、光信号送受信部１１，２１のＤＤＭ機能により測定された送信光電力及び受信光電力に基づいて伝送路損失を確認するようにしても、実施の形態１と同様の効果を得ることができる。
【００４８】
なお、実施の形態３では、図１に示す実施の形態１に係るＰＯＮシステムに適用した場合について示したが、これに限るものではなく、図４に示す実施の形態２に係るＰＯＮシステムに適用するようにしてもよい。
【００４９】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５０】
１  ＯＬＴ、２  ＯＮＵ、３  光カプラ、４  光伝送路、１１  光信号送受信部（第２のパラメータ測定部）、１２  アクセス制御部、１３，１３ｂ，１３ｃ  指示作成部、１４  ＰＲＢＳ受信部、１５  ＰＲＢＳ送信部、２１，２１ｂ  光信号送受信部（パラメータ測定部）、２２  アクセス制御部、２３，２３ｂ  指示受信部、２４  ＰＲＢＳ送信部、２５  ＰＲＢＳ受信部（パラメータ測定部）、２６  指示送信部（パラメータ送信部）、２７  出力レベル調整部、２８  バイアス調整部、２９  ＦＥＣ機能設定部。
【図１】
0005921285.tif 000002
【図２】
0005921285.tif 000003
【図３】
0005921285.tif 000004
【図４】
0005921285.tif 000005
【図５】
0005921285.tif 000006